(57)【要約】【課題】    搬送ベルトから媒体がすべり落ちることなく、搬送することが出来る。【解決手段】  第一の搬送部位から第二の搬送部位まで媒体を搬送する媒体搬送装置であって、第一の搬送部位から第二の搬送部位まで結ぶ搬送路と上記搬送路上で媒体を搬送する搬送ベルトと、上記搬送ベルトをまわす複数のローラと、上記搬送ベルトより下方に設けられ、かつ上記搬送路に設けられた磁石とで構成され、かつ第二の搬送部位が第一の搬送部位より温度が高いことを特徴とする。【選択図】  図２
2011073853.tif 000002
【特許請求の範囲】
【請求項１】
磁性体を含む媒体を搬送する第一の搬送路と、この第一の搬送路の一端に連結され、前
記第一の搬送路に対して傾斜配置された第二の搬送路と、この第二の搬送路に沿って配置
され、前記媒体を吸着する磁石と、前記第一の搬送路上に設けられた発熱装置と、を備え
ることを特徴とする媒体搬送装置。
【請求項２】
前記第一および第二の搬送路は、ベルトコンベアにより構成されていることを特徴とす
る請求項１に記載の媒体搬送装置。
【請求項３】
前記発熱装置は、前記磁石の吸着力を低下させることにより、前記第二の搬送路により
搬送された媒体を前記第一の搬送路に移動させることを特徴とする請求項２に記載の媒体
搬送装置。
【発明の詳細な説明】
【技術分野】
【０００１】
本発明は、例えば、自動車の運転免許証、クレジットカードやＩＤカードと称される個
人認識カードなどの証明カードを作成するカード作成装置等に適用される媒体搬送装置に
関する。
【背景技術】
【０００２】
媒体搬送装置は、例えば自動車の運転免許証、クレジットカード等のＩＤカードを搬送す
る装置として用いられる。
【０００３】
ところで、この媒体搬送装置で媒体を搬送する搬送機構としては、例えば、カードを載置
して搬送する搬送ベルトが設けられていて、この搬送ベルトが動くことにより、カードが
搬送されるように構成されているものがある。（例えば特許文献１）。
【先行技術文献】
【特許文献】
【０００４】
【特許文献１】特開２００４−３０７１０３号公報
【発明の概要】
【発明が解決しようとする課題】
【０００５】
しかしながら、従来の技術では、カードを斜め上に搬送しようとした場合に、搬送ベルト
から媒体がすべり落ちてしまい、搬送出来なくなってしまう恐れがあった。
【０００６】
本発明は上記事情に着目してなされたもので、その目的とするところは、搬送ベルトか
ら媒体がすべり落ちることなく、搬送することが出来るようにした媒体搬送装置を提供す
ることにある。
【課題を解決するための手段】
【０００７】
上記課題を解決するため、本発明は、第一の搬送部位から第二の搬送部位まで媒体を搬送
する媒体搬送装置であって、第一の搬送部位から第二の搬送部位まで結ぶ搬送路と上記搬
送路上で媒体を搬送する搬送ベルトと、上記搬送ベルトをまわす複数のローラと、上記搬
送ベルトより下方に設けられ、かつ上記搬送路に設けられた磁石とで構成され、かつ第二
の搬送部位が第一の搬送部位より温度が高いことを特徴とする。
【発明の効果】
【０００８】
本発明によれば、搬送ベルトから媒体がすべり落ちることなく、搬送することが出来る
。
【図面の簡単な説明】
【０００９】
【図１】本発明の１実施の形態である媒体搬送装置１００を設けたカード作成装置１を概略的に示す構成図。
【図２】本発明の１実施の形態である媒体搬送装置１００を示す構成図。
【図３】本発明の１実施の形態である媒体搬送装置１００に設けられた搬送路１０４の斜視図
【図４】本発明の１実施の形態である磁石１０５の構成図。
【図５】本発明の１実施の形態である小さな永久磁石を並べて１本の永久磁石の形状を構成した状態の概略図。
【図６】本発明の１実施の形態である磁石の温度の変化による磁力の変化を示した図。
【図７】本発明の１実施の形態であるカード４の概観図。
【発明を実施するための形態】
【００１０】
以下、本発明を図面に示す実施の形態を参照して詳細に説明する。
【００１１】
図１は、本発明の一実施の形態である媒体搬送装置１００を設けたカード作成装置１の構成を概略的に示すものである。
【００１２】
カード作成装置１は、装置本体としての筐体２を備え、この筐体２の前面部位（図中左側
部位）には操作入力部（図示しない）が設けられている。この操作入力部には、本装置を
単独で運用する情報及び証明カードとして必要な情報を入力する操作盤、所有者の顔画像
情報を直接入力する３．５インチ光磁気ディスク装置、及びこれらにより入力された情報
内容や異状等を表示するための表示装置等が配設されている。
【００１３】
筐体２内の前面側上方部位には、媒体としてのカード４を順次一枚ずつ取出して供給す
る媒体供給部１２が設けられている。
【００１４】
媒体供給部１２は、カード４を被印刷面を上にした水平状態で積層収納するカードホッ
パ１４を備えている。カードホッパ１４の下面部には、時計方向に回転するゴムローラか
らなる取出ローラ１８が設けられている。取出ローラ１８の回転により最下端のカード４
から１枚ずつ逐次取り出されるようになっている。
【００１５】
この取出されるカード４は水平状態に配置される上段カード搬送路６によって図中右方
向に搬送される。上段カード搬送路６の終端部には中継搬送路１０を介して熱転写ユニッ
ト１１が接続されている。熱転写ユニット７０は上段カード搬送路６から下段カード搬送
路８に向けて設けられている。
【００１６】
上段カード搬送路６上には、３色カラー感熱昇華印刷部２２が設けられている。３色カ
ラー感熱昇華印刷部２２は、カード４に対して所持者（更新者）の顔画像をフルカラーの
多色印刷するもので、カード４の搬送方向に対して順次配設されたイエロー印刷部２４Ｙ
、マゼンダ印刷部２４Ｍ、シアン印刷部２４Ｃからなり、Ｙ（イエロー）、Ｍ（マゼンダ
）、Ｃ（シアン）の３色を逐次重ね合わせて感熱昇華印刷するようになっている。
【００１７】
上記各印刷部２４Ｙ、２４Ｍ、２４Ｃは、プラテンローラ２６Ｙ、２６Ｍ、２６Ｃと、
感熱印刷ヘッド２８Ｙ、２８Ｍ、２８Ｃと、これらプラテンローラ２６Ｙ、２６Ｍ、２６
Ｃと感熱印刷ヘッド２８Ｙ、２８Ｍ、２８Ｃとの間に中途部を介在させたＹ（イエロー）
、Ｍ（マゼンダ）、Ｃ（シアン）の３色の感熱昇華印刷インクリボン３０Ｙ、３０Ｍ、３
０Ｃと、インクリボン３０Ｙ、３０Ｍ、３０Ｃの両端部が巻回されたインクリボン送出軸
３２Ｙ、３２Ｍ、３２Ｃ、および、インクリボン巻取軸３４Ｙ、３４Ｍ、３４Ｃとから構
成されている。
【００１８】
３色カラー感熱昇華印刷部２２のカード媒体搬送方向後段（図中右側）には、黒文字溶
融転写印刷部３６が配置されており、顔画像が印刷されたカード４は、この黒文字溶融転
写印刷部３６に送り込まれ、必要な記載情報が黒文字印刷される。
【００１９】
黒文字溶融転写印刷部３６は、上記したように記載情報を文字印刷するもので、プラテ
ンローラ３８と、感熱印刷ヘッド４０と、黒の感熱溶融転写インクリボン４２と、インク
リボン送出軸４４と、インクリボン巻取軸４６とから構成されている。
【００２０】
さらに、黒文字溶融転写印刷部３６の後段には、保護膜形成手段としての耐光性向上保
護膜転写部５０が配設されており、印刷を完了したカード４の表面に、紫外線（ＵＶ）保
護膜の溶融転写を行なうようになっている。
【００２１】
これは、次のステージで紫外線硬化形の表面保護膜を塗布して、紫外線を照射するため
に、昇華印刷をした顔画像が色あせてしまうことに対する防護である。ＵＶ保護膜は、実
際の使用状況の中では太陽光の下にさらしたときの色あせの防止（耐光性）にも、機能を
発揮する。
【００２２】
このＵＶ保護膜も、感熱印刷インクリボンと同じように、転写紙のリボンの上に形成され
ていて透明であり、これを内部に発熱体を埋め込んだヒートローラ５４を押し当てて感熱
転写を行なう。そこで、黒文字溶融転写印刷部３６で記載情報が文字印刷されたカード４
は、上段カード搬送路６の終端側に配設された耐光性向上保護膜転写部５０に送られる。
耐光性向上保護膜転写部５０は、上記したようにＵＶ保護膜の溶融転写を行なうもので、
プラテンローラ５２と、ヒートローラ５４と、ＵＶ保護膜溶融転写リボン５６と、リボン
送出軸５８と、リボン巻取軸６０とから構成されている。
【００２３】
耐光性向上保護膜転写部５０でＵＶ保護膜を溶融転写されたカード４は、上段カード搬送
路６に配設された搬送手段である中継搬送路１０を介して熱転写ユニット７０に送り込ま
れる。熱転写ユニット７０ではカードは、ヒートローラ７１、バックアップローラ７２に
よってＵＶ硬化保護膜７３が熱圧着され、カード４上に保護膜が転写される。その後、カ
ード４は熱転写部搬送路７４上を搬送され、排出ローラ７５によってカードはすべり台１
０２に送られる。カード４はすべり台１０２によって後述する媒体搬送装置１００の搬送
ベルト１０１上に落下する。その後、媒体搬送装置１００によってカード４はＵＶ照射ユ
ニット３００へ搬送される。ＵＶ照射ユニット３００では搬送されたカード４にＵＶラン
プ３０１よりＵＶ照射を行い、保護膜を硬化させる。
【００２４】
その後カード４はＵＶ照射ユニット３００から排出され、集積ユニット９０内のホッパ９
１に積層される。
【００２５】
次に媒体搬送装置１００を詳細に説明する。
【００２６】
図２は上記した媒体搬送装置１００を示す構成図である。また、図３は媒体搬送装置１０
０に設けられた搬送路１０４の斜視図である。
【００２７】
媒体搬送装置１００は複数のローラ１０２とこれらローラ１０２に掛け渡される搬送ベ
ルト対１０３と、搬送ベルト対１０３が両端を通っている搬送路１０４と、搬送ベルト１
０３の下側であって搬送路１０４の中央下側に設けられた長細い形状の磁石１０５と、磁
石を覆うブラケット１０６と、で、構成されている。
【００２８】
この媒体搬送装置１０１の搬送路１０４には傾斜部１０４ａと平面部１０４ｂが設けられ
ている。この傾斜部１０４ａはカードが滑り落ちる可能性がある程度の傾斜であり、平坦
部１０４ｂはカードがすべり落ちる可能性が低い傾斜があっても平坦部と呼ぶ。磁石１０
５は傾斜部１０４ａの下のみに設けられている。この磁石１０５の構成を図４に示す。図
４に示すように細長い形状でかつ搬送路１０４の左右にＳＮがある１本の永久磁石の形状
が望ましいが、小さな永久磁石を並べ、細長い形状にし、かつ搬送路１０４の左右にＳＮ
がある状態にしてもよい。図５は、小さな永久磁石を並べて１本の永久磁石の形状を構成
した状態の概略図である。図５では一定感覚にねじ穴をもったフレーム１０５ａに小さな
形状の永久磁石１０５ｂをフレームの下側をＳとして並べ、ねじ１０５ｃでとめて作成し
た。なおフレーム１０５ａや固定ねじは非磁性材であることが望ましい。本実施例では図
４を利用した場合で説明する。
【００２９】
またこの媒体搬送装置１０１は傾斜部１０４ａを持つ通常搬送部位２００（第一搬送部位
）からカードの搬送を開始し、ＵＶ照射ユニット３００（第二搬送部位）内までカードを
搬送する。通常搬送部位２００（第一搬送部位）内の温度は通常１０℃〜４０℃程度であ
るが、ＵＶ照射ユニット３００（第二搬送部位）内は６０℃〜１００℃程度である。図６
は複数のバーミアンス係数が異なる磁石の温度の変化による磁力の変化を示した図である
。
【００３０】
図６に示したとおり、磁石はバーミアンス係数に係らず熱くなると、磁力が弱まる傾向に
ある。よって、カード搬送の開始位置は通常搬送部位２００（第一搬送部位）にあたるた
め磁石１０５の磁力は強いが、カードが平面部１０４ｂに近づくにつれ、ＵＶ照射ユニッ
ト３００（第二搬送部位）の熱の影響で、磁力はだんだん弱まる。
【００３１】
次に搬送媒体であるカードの説明を行う。図７がカード４の概観図である。カード４内に
はＩＣチップ４０１が設けられ、さらにその上側にＩＣチップが割れることを防止する金
属板４０２が設けられている。金属板は例えば鉄、ニッケル、ステンレス、コバルト等が
ある。
【００３２】
続いて媒体搬送装置１０１がカード４を搬送する様子を説明する。
【００３３】
カード４は熱転写ユニット１０で保護膜の転写が終了すると、その下に設けられた媒体搬
送装置１０１の搬送路１０４の傾斜部１０４ａに設けられた搬送ベルト対１０３上に落と
される。そして搬送ベルト対１０３が動くことによってカード４は傾斜部１０４ａを上側
に上っていく。なお、この際、磁石１０５がカード４に内臓された金属板４０２を磁石１
０５側にひきつける。よってカード４が搬送ベルト対１０３をすべり落ちることを防止す
る。カード４が上側に搬送されていくとカード４をひきつけている磁石１０５はＵＶ照射
ユニット３００（第二搬送部位）が近づくにつれてその磁力が下がっていく。カード４が
傾斜部１０４ａと平面部１０４ｂの境目まできた際にはすでにＵＶ照射ユニット３００（
第二搬送部位）内であるため、磁力は弱まり、結果として、磁石１０５はカード４をひき
つける力が弱まっている。よって磁石１０５が設けてある傾斜部１０４ａから、磁石１０
５を設けてない平面部１０４ｂにカード４が運ばれる際には磁石１０５はその動きをほと
んど邪魔することがない。カード４は平面部１０４ｂに上まで運ばれ、平面部１０４ｂ上
を運ばれているあいだにＵＶランプ３０１により、ＵＶ照射が行われる。最後に平面部１
０４ｂで搬送されたカード４はピンチローラ１０７によって挟持搬送されてスタッカ９０
に排出される。
【００３４】
上記説明したとおり、磁石１０５を設けることにより、カードがベルトと磁着することに
よってカード４が搬送ベルト対１０３をすべり落ちることを防止する。また磁石１０５の
一部を高熱部位に設けることで、磁力を減少させ、磁石１０５を設けている傾斜部１０４
ａから、磁石１０５を設けてない平面部１０４ｂにカード４が運ばれる際には磁石１０５
はカード４が移動することを妨げる力が最小となる。
【００３５】
本実施例では搬送路ベルト対１０３で説明を行ったが、一枚ベルトであっても対応可能で
ある。  ベルトで磁石を覆っても磁力による影響をカード１０３は受けるためである。
【符号の説明】
【００３６】
１…カード作成装置、４…カード、１０１…媒体搬送装置、１０２…搬送ローラ、１０３
…搬送ベルト、１０４…搬送路、１０４ａ…傾斜部、１０４ｂ…平面部、１０５…磁石、
２００…通常搬送部位（第一搬送部位）、３００…ＵＶ照射ユニット（第二搬送部位）
【図１】
2011073853.tif 000003
【図２】
2011073853.tif 000004
【図３】
2011073853.tif 000005
【図４】
2011073853.tif 000006
【図５】
2011073853.tif 000007
【図６】
2011073853.tif 000008
【図７】
2011073853.tif 000009